(57)【要約】【課題】本発明は、斜張橋における保護管用スペーサに関し、その配設作業性を向上させるとともに、ケーブルの共振を防止し、制振させることが課題である。        【解決手段】主塔３側と桁４側との両定着部間に架設したストランド５と、該ストランド５を被覆する保護管６との間にできる間隙７に、前記両定着部間に連続されているとともに、可撓性を有して挿着された間隙用部材である保護管用スペーサ１とする。【選択図】図３
2007009526.tif 000002
【特許請求の範囲】
【請求項１】
主塔側と桁側との両定着部間に架設したストランドと、該ストランドを被覆する保護管との間にできる間隙に、前記両定着部間に連続されているとともに、可撓性を有して挿着された間隙用部材であること、
を特徴とする保護管用スペーサ。
【請求項２】
間隙用部材は、中空な部材または中実な部材であるとともに、間隙に変形して挿着される部材であること、
を特徴とする請求項１に記載の保護管用スペーサ。
【発明の詳細な説明】
【技術分野】
【０００１】
本発明は、例えば、斜張橋の斜材ケーブルにおける、外側の保護管とその内部のケーブルとの間の間隙を充填する保護管用スペーサに関するものである。
【背景技術】
【０００２】
従来、斜張橋における斜材ケーブルは、ＰＣ鋼より線のストランンドを保護管に挿通させて、塔側と桁側との両定着部に架設・緊張し、防錆処理としてストランドと保護管との間にグラウト材を充填していたが、前記ストランドがそれぞれＰＥ被覆したものを使用するようになり、前記保護管との間には、適宜間隔を置いてスペーサが配設されるようになっている。このスペーサにより、ストランドの位置を保護管の略中央に配置させ維持すると共に、前記ストランドの防振作用を果たすものとして知られている（特許文献１、２参照）。
【特許文献１】特開平０５−２８７７０７号公報
【特許文献２】特開平０５−２３０８０９号公報
【発明の開示】
【発明が解決しようとする課題】
【０００３】
しかし、従来の保護管用スペーサに関して、保護管を熱溶着して所要の長さに接続し、それをワイヤ等で引き上げて塔側と桁側とに架設し、ＰＥ被覆ストランドを前記保護管に挿通させて塔側と桁側とに架設して緊張・定着させる。そして、前記保護管とストランドとの隙間に、間隔保持用のスペーサを挿入している。この際に、図４に示すように、前記接続した保護管６，６同士の接続部分に、溶融した保護管の内側への突部（ビード部）１１が形成されてしまう。この突部１１に前記スペーサ１０が通過する際にぶつかって、この部分での抵抗が大きくなり、前記スペーサ１０を長い距離において、ウインチ等で引き上げることが不可能となる、という課題がある。本発明に係る保護管用スペーサは、このような課題を解決するために提案されたものである。
【課題を解決するための手段】
【０００４】
本発明に係る保護管用スペーサの上記課題を解決して目的を達成するための要旨は、主塔側と桁側との両定着部間に架設したストランドと、該ストランドを被覆する保護管との間にできる間隙に、前記両定着部間に連続されているとともに、可撓性を有して挿着された間隙用部材であることである。
【０００５】
前記間隙用部材は、中空な部材または中実な部材であるとともに、間隙に変形して挿着される部材であることを含むものである。
【発明の効果】
【０００６】
本発明の保護管用スペーサによれば、保護管とストランドとの間隙に、可撓性の間隙部材が主塔側と桁側との間に連続して通されるので、適宜間隔を置いて配置されるスペーサの場合よりも作業性が良く、効率的な作業となり工期短縮されて低コストとなる。前記間隙が埋められてガタ付きが防止され、斜材ケーブルの制振とも成るとともに、共振の課題についても解消される。
【発明を実施するための最良の形態】
【０００７】
本発明に係る保護管用スペーサ１は、図１に示すように、斜張橋２の主塔３側と桁４側との両定着部間に架設される複数本の斜材ケーブル９において使用されるものである。
【０００８】
前記斜材ケーブル９を構成するストランド５は、予め外皮としてＰＥ（ポリエチレン）被覆されたストランドであり、架設に当たっては、図２に示すように、ドラムＢから引き出されてプッシングマシーンＡ等でＰＥ被覆ストランド５を主塔３側に迫り上げ、この主塔３側の定着部に挿通させて、既に定着部間に熱溶着によって連結し架設してある保護管６内に挿通させて、桁４側に下ろして定着部に架設される。
【０００９】
前記主塔３側でストランド５を定着部に止めて適宜長さを突出させて切断し、桁４側で定着させた後にジャッキにて緊張させる。それを繰り返してストランド５群を前記主塔３側及び桁４側に架設する。なお、図３に示すものは、前記ストランド５群を定着部の近傍で束ねている場合の一例であり、勿論、束ねない場合もある。
【００１０】
前記保護管６は、桁４側において熱溶着により筒体を首尾連接して所要の長さに連結される。そして、それを、ワイヤ等で引き上げて、主塔３側と桁４側との定着部間に架設するものである。また、この保護管６は、図３に示すように、前記ストランド５群に対して重力で下がって、当該ストランド５群と保護管６の下部内壁面との間に間隙７ができる。この間隙７に、可撓性を有する保護管用スペーサ１を挿通させるものである。
【００１１】
前記保護管用スペーサ１は、主塔３側と桁４側との定着部間に連続し、且つ、可撓性を有する間隙用部材である。この保護管用スペーサ１の具体例として、中空な部材としては、ポリエチレン（ＰＥ）製やゴム製等の合成樹脂製パイプである。また、中実な部材としては、スポンジ製，ゴム製やウレタン製等の部材である。そして、この間隙用部材は、前記間隙７の寸法に対して少なくとも同じ寸法で挿着されるか、又は、若干大きい寸法で挿着される。こうして、保護管用スペーサ１は、前記間隙７において、若しくは突部１１（図４参照）において若干変形して挿着されるものである。
【００１２】
前記保護管用スペーサ１の端部を、主塔３側のウインチ（図示せず）からワイヤを引き出して前記保護管６の間隙７に挿通させて一旦、桁４側に下ろした当該ワイヤ先端部に繋着させる。そして、前記ウインチによりワイヤを引き上げる。これにより、前記保護管用スペーサ１が図３に示すように、少し潰れて楕円状になって、桁４側から主塔３側に引き上げられ、前記保護管６内の間隙７を通り、保護管６，６接続部の突部（ビード部）１１（図４参照）を容易に乗り越えて上方に移動する。また、図３に示すように、直径又は太さの異なる寸法の保護管用スペーサ１ａ，１ｂ，  …を数本挿着することもある。
【００１３】
こうして、主塔３側の定着部と桁４側の定着との間に、連続して可撓性を有した保護管用スペーサ１としての間隙用部材が挿着される。これにより、前記間隙７が埋められてガタ付きが解消されると共に、斜材ケーブル９の共振が防止され、雨風による斜材ケーブル９の振動についても制振作用するものである。また、前記保護管用スペーサ１が、中空な部材である合成樹脂製パイプの場合には、当該中空部分に充填材を充填して、この保護管用スペーサ１の剛性や重量を可変することで、前記斜材ケーブル９の振動を抑制することができる。
【図面の簡単な説明】
【００１４】
【図１】本発明に係る保護管用スペーサ１が適用される斜張橋の概略図である。
【図２】同本発明の保護管用スペーサ１が適用される斜材ケーブルの９のストランド５を架設する様子を説明する説明図である。
【図３】本発明による斜材ケーブル９の内部構造を示す断面図である。
【図４】従来例に係るスペーサ１０により、間隙７に挿通させて突部（ビード部）１１を乗り越えて行くことが困難な様子を示す説明図である。
【符号の説明】
【００１５】
１，１ａ，１ｂ  保護管用スペーサ、
２              斜張橋、
３              主塔、
４              桁、
５              ストランド、
６              保護管、
７              間隙、
９              斜材ケーブル、
１０            スペーサ、
１１            突部（ビード部）。
【図１】
2007009526.tif 000003
【図２】
2007009526.tif 000004
【図３】
2007009526.tif 000005
【図４】
2007009526.tif 000006